(57)【要約】【課題】  同期信号判定の誤動作を減少させることができ、誤動作に起因して発生する不具合を回避することが可能な同期判定装置を提供する。 【解決手段】  同期信号のパルス数の計測を行う際に、同期信号の電圧レベルが基準レベルを超える同期信号のパルス数を計測するように構成され、また、信号分離回路３３ａにより分離された同期信号の電圧レベルを電圧レベル検出回路３３ｂにより検出するとともに検出された電圧レベルをマイコン３３ｃに入力し、マイコン３３ｃは、入力された電圧レベルが基準レベルを下回っている場合には、その電圧レベルに基づいて、同期信号の電圧レベルを増幅させるためのスライス電圧の電圧値を決定する。【選択図】図３
2006245923.tif 000002
【特許請求の範囲】
【請求項１】
映像信号における同期信号の有無を判定する同期信号判定装置において、
同期信号の電圧レベルの検出を行う電圧レベル検出手段と、
上記電圧レベル検出手段にて検出された上記同期信号の電圧レベルが、所定レベル以上であるか否かを判定する判定手段と、
電圧レベルが所定レベル以上であると上記判定手段にて判定された上記同期信号のパルス数を計測するパルス計測手段と、
上記同期信号の電圧レベルを増幅させるスライス電圧を付加するスライサ回路と、
上記電圧レベル検出手段により検出された電圧レベルに応じて、上記スライサ回路により付加するスライス電圧の大きさを制御するスライス電圧制御手段と、
上記電圧レベル検出手段の検出結果、および、上記スライス電圧制御手段により制御されるスライス電圧の電圧値を保持するレジスタと
を具備することを特徴とする同期信号判定装置。
【請求項２】
映像信号における同期信号の有無を判定する同期信号判定装置において、
同期信号の電圧レベルの検出を行う電圧レベル検出手段と、
上記電圧レベル検出手段にて検出された上記同期信号の電圧レベルが、所定レベル以上であるか否かを判定する判定手段と、
上記同期信号のパルス数を計測するパルス計測手段とを具備し、
上記パルス計測手段は、電圧レベルが所定レベル以上であると上記判定手段にて判定された上記同期信号のパルス数を計測することを特徴とする同期信号判定装置。
【請求項３】
上記同期信号の電圧レベルを増幅させるスライス電圧を付加するスライサ回路を具備することを特徴とする請求項２に記載の同期信号判定装置。
【請求項４】
上記電圧レベル検出手段により検出された電圧レベルに応じて、上記スライサ回路により付加するスライス電圧の大きさを制御するスライス電圧制御手段を具備することを特徴とする請求項３に記載の同期信号判定装置。
【請求項５】
上記電圧レベル検出手段の検出結果、および、上記スライス電圧制御手段により制御されるスライス電圧の電圧値を保持するレジスタを具備することを特徴とする請求項４に記載の同期信号判定装置。
【請求項６】
受信した放送信号に基づく映像を表示させるテレビジョン受信装置において、
受信した同期信号の電圧レベルの検出を行う電圧レベル検出手段と、
上記電圧レベル検出手段にて検出された上記同期信号の電圧レベルが、所定レベル以上であるか否かを判定する判定手段と、
同期信号のパルス数を計測するパルス計測手段とを具備し、
上記パルス計測手段は、電圧レベルが所定レベル以上であると上記判定手段にて判定された上記同期信号のパルス数を計測することを特徴とするテレビジョン受信装置。
【請求項７】
映像信号における同期信号の有無を判定する同期信号判定方法において、
同期信号の電圧レベルの検出を行う電圧レベル検出工程と、
上記電圧レベル検出工程にて検出された上記同期信号の電圧レベルか、所定レベル以上であるか否かを判定する判定工程と、
電圧レベルが所定レベル以上であると上記判定工程にて判定された上記同期信号のパルス数を計測するパルス計測工程と
を具備することを特徴とする同期信号判定方法。
【発明の詳細な説明】
【技術分野】
【０００１】
本発明は、受信した放送信号に含まれる同期信号の有無を判定する同期信号判定装置、この同期信号判定装置を具備するテレビジョン受信装置、および、同期信号判定方法に関するものである。
【背景技術】
【０００２】
従来、映像暗号の有無を判定する方法として、同期分離回路から分離され出力される同期信号（垂直同期信号または水平同期信号）のパルス数を一定時間計測し、そのパルス数に応じて映像信号の有無を判定するようにしている（例えば、特許文献１、２参照）。
【特許文献１】特開２００３−０６９９０８号公報
【特許文献２】特開平０７−０２０７６５号公報
【発明の開示】
【発明が解決しようとする課題】
【０００３】
しかしながら、上述した従来の方法を採用した同期判定装置では、放送信号が弱レベルで入力されている場合、同放送信号に含まれる同期信号の電圧レベルが不安定となり、性格なパルス数の計測を行うことができず、同期信号の有無について正確な判定を行うことができないという問題があった。
【０００４】
本発明は、かかる実情に鑑み、同期信号判定の誤動作を減少させることができ、誤動作に起因して発生する不具合を回避することが可能な同期判定装置、この同期判定装置を具備するテレビジョン受信装置および同期判定方法を提供しようとするものである。
【課題を解決するための手段】
【０００５】
上記目的を達成するため、請求項２にかかる発明は、映像信号における同期信号の有無を判定する同期信号判定装置において、
同期信号の電圧レベルの検出を行う電圧レベル検出手段と、
上記電圧レベル検出手段にて検出された上記同期信号の電圧レベルが、所定レベル以上であるか否かを判定する判定手段と、
上記同期信号のパルス数を計測するパルス計測手段とを具備し、
上記パルス計測手段は、電圧レベルが所定レベル以上であると上記判定手段にて判定された上記同期信号のパルス数を計測する構成としてある。
【０００６】
上記のように構成した請求項２にかかる発明において、同期信号判定装置は、同期信号の電圧レベルの検出を行う電圧レベル検出手段と、同電圧レベル検出手段にて検出された同期信号の電圧レベルが、所定レベル以上であるか否かを判定する判定手段をと、同期信号のパルス数を計測するパルス計測手段とを具備しており、さらに、パルス計測手段は、電圧レベルが所定レベル以上であると判定手段にて判定された同期信号のパルス数を計測する構成となっている。すなわち、単に、パルス数の計測を行うだけのものではなく、同期信号の電圧レベルの検出も行い、この電圧レベルが所定レベル以上の同期信号のパルス数のみをパルス計測手段にて計測する構成となっているため、電圧レベルが所定レベル以上の安定した同期信号のみのパルス数を計測することができるため、同期信号の判定について誤動作が生じ難くなる。
【０００７】
また、請求項３にかかる発明は、上記同期信号の電圧レベルを増幅させるスライス電圧を付加するスライサ回路を具備する構成としてある。
上記の構成した請求項３にかかる発明では、スライサ回路にてスライス電圧を付加することにより、同期信号の電圧レベルを増幅させることができるため、同期信号の電圧レベルが弱レベルである場合であっても、パルス数の計測を行う閾値となる所定レベルの電圧レベル以上にまで増幅させることができるため、安定したパルス数の計測を行うことが可能となる。
【０００８】
また、請求項４にかかる発明は、電圧レベル検出手段により検出された電圧レベルに応じて、上記スライサ回路により付加するスライス電圧の大きさを制御するスライス電圧制御手段を具備する構成としてある。
上記のように構成した請求項４にかかる発明では、同期信号が弱レベルで入力されたときにのみスライス電圧を付加して増幅させる一方、同期信号の電圧レベルが所定レベル以上である場合には、スライス電圧を付加しないというようにすることが可能となる。
【０００９】
また、請求項５にかかる発明は、上記電圧レベル検出手段の検出結果、および、上記スライス電圧制御手段により制御されるスライス電圧の電圧値を保持するレジスタを具備する構成としてある。
上記のように構成した請求項５にかかる発明では、上記電圧レベル検出手段の検出結果、および、上記スライス電圧制御手段により制御されるスライス電圧の電圧値をレジスタに一時的に保持しておくことが可能となる。
【００１０】
ところで、上述した請求項２〜４にかかる発明は、同期信号判定装置についての発明であるが、この装置は、通常、同期信号を含む映像信号について、同映像信号に基づく映像を表示させるための各種の処理を行い、最終的に映像信号に基づく映像を表示させるテレビジョン受信装置に内蔵させるものである。従って、受信した放送信号に基づく映像を表示させるテレビジョン受信装置において、受信した同期信号の電圧レベルの検出を行う電圧レベル検出手段と、上記電圧レベル検出手段にて検出された上記同期信号の電圧レベルが、所定レベル以上であるか否かを判定する判定手段と、同期信号のパルス数を計測するパルス計測手段とを具備し、上記パルス計測手段は、電圧レベルが所定レベル以上であると上記判定手段にて判定された上記同期信号のパルス数を計測するように構成されたテレビジョン受信装置も本発明に含まれるものである。
【００１１】
また、上述した同期信号判定装置が具備する各手段により行われる一連の手法を開示した同期信号判定方法も本発明に該当するものである。すなわち、映像信号における同期信号の有無を判定する同期信号判定方法において、同期信号の電圧レベルの検出を行う電圧レベル検出工程と、上記電圧レベル検出工程にて検出された上記同期信号の電圧レベルか、所定レベル以上であるか否かを判定する判定工程と、電圧レベルが所定レベル以上であると上記判定工程にて判定された上記同期信号のパルス数を計測するパルス計測工程とを具備する同期信号判定方法も本発明に含まれるものである。
【発明の効果】
【００１２】
本発明の請求項２にかかる発明では、同期信号判定の誤動作を減少させることができ、誤動作に起因して発生する不具合を回避することが可能となる。
請求項３にかかる発明では、安定したパルス数の計測を行うことが可能となる。
請求項４にかかる発明では、同期信号が弱レベルで入力されたときにのみスライス電圧を付加して増幅させる一方、同期信号の電圧レベルが所定レベル以上である場合には、スライス電圧を付加しないというようにすることが可能となる。
請求項５にかかる発明では、上記電圧レベル検出手段の検出結果、および、上記スライス電圧制御手段により制御されるスライス電圧の電圧値をレジスタに一時的に保持しておくことが可能となる。
請求項６にかかる発明では、請求項２にかかる同期信号判定装置の構成とすることにより得られる効果と同様の効果を奏するテレビジョン受信装置を得ることが可能となる。
請求項７にかかる発明では、同期信号判定の誤動作を減少させることができ、誤動作に起因して発生する不具合を回避することが可能となる。
【発明を実施するための最良の形態】
【００１３】
以下、下記の順序に従って本発明の実施形態を説明する。
（１）ビデオプロセッサの内部構成：
（２）同期信号処理回路の内部構成：
（３）各種変形例：
（４）まとめ：
【００１４】
（１）テレビジョン受信チュ−ナの内部構成：
以下、本発明の実施形態について説明する。なお、以下においては、入力された映像信号から同期信号を分離するとともに、同映像信号に対して各種の信号処理を行うビデオプロセッサについての説明を行う。このビデオプロセッサは、通常、テレビジョン受信装置等に内蔵されているものである。
【００１５】
図１は、実施形態にかかるビデオプロセッサの概略構成を示している。同図において、ビデオプロセッサ１０は、図示しないチュ−ナからのアナログの入力信号に対する処理を行うアナログブロック２０と、入力電圧を差動電流に変換するＡＦＥ回路（図示せず）の他、後述する種々の回路を含むＡＦＥブロック３０と、映像信号をディスプレイ等の表示装置に表示可能な信号とするための各種の画質調整（ブライト、コントラスト等）を行う映像信号処理回路５０とを具備している。
【００１６】
アナログブロック２０は、入力選択回路２１と、クランプ回路２２と、ＬＰＦ回路２３と、Ａ／Ｄ変換回路２４とを具備している。入力選択回路２１は、入力された信号（輝度信号Ｙ、色差信号Ｃ ｒ、Ｃ ｂ）の選択を行う。また、クランプ回路２２は、入力選択回路２１にて選択された信号の電圧を適正範囲に調整するためのものである。また、ＬＰＦ回路２３は、入力信号に対して指定された周波数のフィルタリングを行うためのものである。さらに、Ａ／Ｄ変換回路２４は、アナログの入力信号をデジタルの入力信号に変換するものである。
【００１７】
ＡＦＥブロック３０は、上述したＡＦＥ回路の他、Ｙ／Ｃ分離回路３１と、色復調回路３２と、同期信号処理回路３３とを具備している。Ｙ／Ｃ分離回路３１は、入力信号がコンポジット信号である場合に、Ｙ信号とＣ信号とに分離するためのものである。また、色復調回路は、分離されたＹＣ信号をコンポ−ネント信号に変換するためのものである。
同期信号処理回路３３は、入力した映像信号から同期信号を分離するとともに、この同期信号の電圧レベルを検出し、電圧レベルが低い場合には、この同期信号処理回路３３に接続されたスライサ回路４０によりスライス電圧を付加させ、電圧レベルを基準レベル以上に増幅させる処理を行う。なお、この同期信号処理回路３３の構成については、以下に図２を用いて詳述する。
【００１８】
（２）同期信号処理回路の構成：
図２は、図１に示した同期信号処理回路３３の構成を示すブロック図である。同図において、同期信号処理回路３３は、同期分離回路３３ａ、電圧レベル検出回路３３ｂ、および、マイコン３３ｃを具備している。同期分離回路３３ａは、入力された映像信号から同期信号（垂直同期信号、水平同期信号）を分離するためのものである。また、電圧レベル検出回路３３ｂは、同期分離回路３３ａから分離された同期信号の電圧レベルを検出するためのものである。なお、この電圧レベル検出回路３３ｂには、同期分離回路３３ａから分離された同期信号のうち、垂直同期信号と水平同期信号との両方を入力するように構成されていてもよいし、いずれか一方を入力するように構成されていてもよい。
【００１９】
上述した電圧レベル検出回路３３ｂにより検出された同期信号の電圧レベルは、マイコン３３ｃに入力される。このマイコン３３ｃは、レジスタ３３ｃ１を具備しており、入力された電圧レベルは、レジスタ３３ｃ１に一時的に保持される。マイコン３３ｃは、レジスタ３３ｃ１に保持されている電圧レベルに基づいて、同期信号の電圧レベルを増幅させるために付加するスライス電圧値を決定し、レジスタ３３ｃ１に保持させる。
マイコン３３ｃにより決定され、レジスタ３３ｃ１に保持されているスライス電圧値は、スライサ回路４０に供給される。このスライサ回路４０は、同期信号の電圧レベルを増幅させるためのスライス電圧を発生させるためのものであり、マイコン３３ｃより決定されたスライス電圧値を入力するとともに、分離された同期信号を入力し、この同期信号に対して、上記入力したスライス電圧値に基づくスライス電圧を付加する処理を行う。
【００２０】
図３、図４は、実施形態にかかるビデオプロセッサ１０において、同期信号の電圧レベルの増幅にかかる処理についての説明を行うための説明図である。実施形態にかかるビデオプロセッサでは、同期信号の有無を判定する方法として、一定区間における同期信号のパルス数を計測することにより行う。なお、このパルス数の計測は、図２に示したマイコン３３ｃにより行なわれる。なお、パルス数の計測は、マイコン３３ｃとは別個に設けられたマイコンにより行なわれるものであってもよい。ここで、パルス数の計測を行う際、同期信号の電圧レベルが図３、図４に示した基準レベルを超える信号のみを計測し、基準レベルを下回る電圧レベルの信号は計測しない。同期信号の電圧レベルが基準レベルを超える場合には、マイコン３３ｃによりパルス数の計測が行われ、その結果がレジスタ３３ｃ１に保持される。
【００２１】
図３（ａ）では、入力した同期信号の電圧レベルが、基準レベルを下回っており、この場合では、パルス数の計測は行われない。この電圧レベルは、図２に示した電圧レベル検出回路３３ｂにより検出されるとともに、マイコン３３ｃに入力され、レジスタ３３ｃ１に保持される。そして、マイコン３３ｃは、入力された電圧レベルに基づいて、付加するスライス電圧値を決定するとともに、決定されたスライス電圧値をスライサ回路４０に供給する。
【００２２】
そして、スライサ回路４０によりスライス電圧が付加されると、図３（ｂ）に示すように、同期信号の電圧レベルが基準レベルを超える大きさまで増幅される。これにより、パルス数の計測を行うことが可能となるのである。
このように、実施形態においては、検出された同期信号の電圧レベルに応じて、同期信号に付加するスライス電圧の電圧値を決定し、電圧レベルが基準レベルを超えるように同期信号の増幅を行うのである。
従って、図４（ａ）に示すように、電圧レベル検出回路３３ｂの検出結果、同期信号の電圧レベルが基準レベルを超えている場合には、そのままの電圧レベルでパルス数の計測を行うことができるため、その電圧レベルの供給を受けたマイコン３３ｃは、スライス電圧を付加しない（スライス電圧値が０）ことを決定する。そのため、同期信号にスライス電圧は付加されず、図４（ｂ）に示すように、同期信号の電圧レベルは増幅しない。
【００２３】
（３）各種変形例：
上述した実施形態においては、同期信号の電圧レベルの検出を行い、検出された電圧レベルの大きさに応じて、付加するスライス電圧値を決定するように構成されている場合について説明したが、本発明においては、検出された電圧レベルが所定レベル（基準レベル）を下回っている場合には、その大きさに関らず、一定の電圧値のスライス電圧を付加するように構成されていてもよい。この場合、マイコンにより検出された電圧レベルに基づくスライス電圧値の決定にかかる処理を省略することが可能となる。また、検出された電圧レベルが所定レベルを超えているか否かに関らず、一定の電圧値のスライス電圧を付加するように構成されていてもよい。
【００２４】
（４）まとめ：
以上説明したように、実施形態にかかるビデオプロセッサ１０によれば、同期信号のパルス数の計測を行う際に、同期信号の電圧レベルが基準レベルを超える同期信号のパルス数を計測するように構成されているため、電圧レベルが所定レベル以上の安定した同期信号のみのパルス数を計測することができ、同期信号の判定について誤動作が生じ難くなる。
また、信号分離回路３３ａにより分離された同期信号の電圧レベルを電圧レベル検出回路３３ｂにより検出するとともに検出された電圧レベルをマイコン３３ｃに入力し、マイコン３３ｃは、入力された電圧レベルが基準レベルを下回っている場合には、その電圧レベルに基づいて、同期信号の電圧レベルを増幅させるためのスライス電圧の電圧値を決定する。そして、スライサ回路４０は、マイコン３３ｃにより決定された電圧値のスライス電圧を入力された同期信号に付加する。このため、安定したパルス数の計測を行うことが可能となる。
【図面の簡単な説明】
【００２５】
【図１】実施形態にかかるビデオプロセッサの概略構成を示すブロック図である。
【図２】同期信号処理回路の概略構成を示すブロック図である。
【図３】同期信号の電圧レベルの増幅にかかる処理についての説明を行うための説明図である。
【図４】同期信号の電圧レベルの増幅にかかる処理についての説明を行うための説明図である。
【符号の説明】
【００２６】
１０…ビデオプロセッサ
２０…アナログブロック
２１…入力選択回路
２２…クランプ回路
２３…ＬＰＦ回路
２４…Ａ／Ｄ回路
３０…ＡＦＥブロック
３１…Ｙ／Ｃ分離回路
３２…色復調回路
３３…同期信号処理回路
３３ａ…同期分離回路
３３ｂ…電圧レベル検出回路
３３ｃ…マイコン
３３ｃ１…レジスタ
４０…スライサ回路
５０…映像信号処理回路
【図１】
2006245923.tif 000003
【図２】
2006245923.tif 000004
【図３】
2006245923.tif 000005
【図４】
2006245923.tif 000006